(57)【要約】【課題】高速下りリンク共用チャンネルの無線ネットワーク一時識別番号の取得方法を提供する。【解決手段】無線ネットワーク・コントローラが強化型接続モード共通状態でのユーザデバイスの高速下りリンク共用チャンネルの無線ネットワーク一時識別番号をベース・ステーションに通知し、ベース・ステーションは、シグナリングから高速下りリンク共用チャンネルの無線ネットワーク一時識別番号を取得し、強化型接続モード公共状態でのデータを送信する必要がある場合、高速下りリンク共用チャンネルの無線ネットワーク一時識別番号を高速下りリンク共用チャンネルに使用される共用コントロール・チャンネルのマスクとしてベース・バンド処理を行い、ユーザデバイスが高速下りリンク共用チャンネルに使用される共用コントロール・チャンネルをリスニングする際の識別（ID）とし、高速物理下りリンク共用チャンネルのデータを受信する。【選択図】図３
2010516126.tif 000002
【特許請求の範囲】
【請求項１】
強化型接続モード共通状態でのベース・ステーションに高速下りリンク共用チャンネル使用時の高速下りリンク共用チャンネルの無線ネットワーク一時識別番号を取得させる高速下りリンク共用チャンネルの無線ネットワーク一時識別番号の取得方法であって、
無線ネットワーク・コントローラがシグナリングにより強化型接続モード共通状態でのユーザデバイスの使用可能な高速下りリンク共用チャンネルの無線ネットワーク一時識別番号を前記ベース・ステーションに通知するステップ（Ｓ２０２）と、
前記ベース・ステーションは、シグナリングから前記高速下りリンク共用チャンネルの無線ネットワーク一時識別番号を取得するステップ（Ｓ２０４）と、
前記ベース・ステーションは、前記強化型接続モード公共状態でのデータを送信する必要がある場合、前記高速下りリンク共用チャンネルの無線ネットワーク一時識別番号を高速下りリンク共用チャンネルに使用される共用コントロール・チャンネルのマスクとしてベース・バンド処理を行い、前記ユーザデバイスが前記高速下りリンク共用チャンネルに使用される共用コントロール・チャンネルをリスニングする際の識別（ID）とし、また、前記高速物理下りリンク共用チャンネルのデータを受信するステップ（Ｓ２０６）と
を含むことを特徴とする高速下りリンク共用チャンネルの無線ネットワーク一時識別番号の取得方法。
【請求項２】
前記シグナリングは共通伝送チャンネルセットアップ要求メッセージあるいは共通伝送チャンネル再配置要求メッセージであることを特徴とする請求項１に記載の高速下りリンク共用チャンネルの無線ネットワーク一時識別番号の取得方法。
【請求項３】
さらに、前記ベース・ステーションが前記シグナリングから前記高速下りリンク共用チャンネルの無線ネットワーク一時識別番号を取得した後、前記無線ネットワーク・コントローラに共通伝送チャンネルセットアップの応答あるいは共通伝送チャンネル再配置の応答メッセージを返信するステップを含むことを特徴とする請求項２に記載の高速下りリンク共用チャンネルの無線ネットワーク一時識別番号の取得方法。
【請求項４】
前記高速下りリンク共用チャンネルの無線ネットワーク一時識別番号は、ロジック・チャンネル、伝送チャンネル、高速共用チャンネルのマルチメディア・アクセス・コントロール・ストリーム、優先度キュー、あるいはマルチメディアラジオ放送・マルチキャスト・サービスの何れかと関連していることを特徴とする請求項１乃至３のいずれかに記載のコーリング転送の高速下りリンク共用チャンネルの無線ネットワーク一時識別番号の取得方法。
【請求項５】
強化型接続モード公共状態でのベース・ステーションに高速共用チャンネル使用時の高速下りリンク共用チャンネルの無線ネットワーク一時識別番号を取得させる高速下りリンク共用チャンネルの無線ネットワーク一時識別番号の取得装置であって、シグナリングにより強化型接続モード共通状態でのユーザデバイスの使用可能な高速下りリンク共用チャンネルの無線ネットワーク一時識別番号を前記ベース・ステーションに通知する通知ユニットと、前記シグナリングから前記高速下りリンク共用チャンネルの無線ネットワーク一時識別番号を取得する取得ユニットと、前記ベース・ステーションが強化型接続モード共通状態でのデータを送信する必要がある時、前記高速下りリンク共用チャンネルの無線ネットワーク一時識別番号を高速下りリンクチャンネルに使用される共用コントロール・チャンネルのマスクとしてベース・バンド処理を行い、前記ユーザデバイスが高速下りリンク共用チャンネルに使用される共用コントロール・チャンネルをリスニングすることの識別とし、また、前記高速物理下りリンク共用チャンネルのデータを受信する処理ユニットとを含むことを特徴とする高速下りリンク共用チャンネルの無線ネットワーク一時識別番号の取得装置。
【請求項６】
前記シグナリングは共通伝送チャンネルセットアップ要求メッセージあるいは共通伝送チャンネル再配置要求メッセージであることを特徴とする請求項５に記載の高速下りリンク共用チャンネルの無線ネットワーク一時識別番号の取得装置。
【請求項７】
さらに、前記ベース・ステーションが前記シグナリングから前記高速下りリンク共用チャンネルの無線ネットワーク一時識別番号を取得した後に、前記無線ネットワーク・コントローラに共通伝送チャンネルセットアップの応答メッセージあるいは共通伝送チャンネル再配置の応答メッセージを返信する応答ユニットを含むことを特徴とする請求項６に記載の高速下りリンク共用チャンネルの無線ネットワーク一時識別番号の取得装置。
【請求項８】
前記高速下りリンク共用チャンネルの無線ネットワーク一時識別番号は、ロジック・チャンネル、伝送チャンネル、高速共用チャンネルのマルチメディア・アクセス・コントロール・ストリーム、優先度キュー、あるいはマルチメディアラジオ放送・マルチキャスト・サービスの何れかと関連していることを特徴とする請求項５乃至７のいずれかに記載の高速下りリンク共用チャンネルの無線ネットワーク一時識別番号の取得装置。
【発明の詳細な説明】
【技術分野】
【０００１】
本発明は通信分野に関し、具体的には、強化型接続モード共通状態でのベース・ステーションに高速共用チャンネル使用時の高速下りリンク共用チャンネルの無線ネットワーク一時識別番号を取得させる高速下りリンク共用チャンネルの無線ネットワーク一時識別番号の取得方法及び装置に関する。
【背景技術】
【０００２】
通信分野において、ユーザの高いデータ・ストリーム量とシステムのスループットを高めるために、3GPPのR5標準プロトコルに高速パケット共用伝送チャンネル（High  Speed  Downlink  Shared  Channel）が導入された。当該チャンネルにマッピングされる物理チャンネルは時分割とコード分割方式を採用し、また、当該チャンネルはハイブリッド自動再送（HARQ）と適応変調符号化（AMC）技術を採用することにより、ピークレートが10.8Mbps〜30Mbpsに達することができる。その最終の目的は、高速パケットサービスに対するアクセスを提供することによって、システムのスループットを増加し、且つ伝送遅延を減少して、ユーザのサービス品質（Qos）に対する要求を高める。
【０００３】
3GPPプロトコル標準は、無線資源制御（RRC）接続モードでのフォーワード・アクセス状態（CELL_FACH）、と（或は）無線資源制御（RRC）接続モードでのページング状態（CELL_PCH/URA_PCH）を強化し、即ち、CELL_FACH、と（或は）CELL_PCH/URA_PCHの状態でも高速下りリンクパケットアクセス技術（HSDPA）（ここで、CELL-FACH、と（或は）CELL_PCH/URA_PCH状態で高速共用パケット・アクセス（HSDPA）技術を使用することを強化型接続モード共通状態と略称）を使用できるが、HSDPA技術の原理としては、ユーザデバイスは、まず、高速下りリンク共用チャンネルの無線ネットワーク一時識別番号（H-RNTI）にて高速下りリンク共用チャンネルに使用される共用コントロール・チャンネル（HS-SCCH）をリスニングすることにより、高速物理下りリンク共用チャンネルのシグナリング・パラメータを取得し、そして、高速物理下りリンク共用チャンネル（HS-PDSCH）のデータを受信できる。
【０００４】
ユーザデバイスが強化型接続モード共通状態にある時、共通制御ロジック・チャンネル（CCCH）、ページング・コントロール・ロジック・チャンネル（PCCH）、専用制御ロジック・チャンネル（DCCH）、専用サービス・ロジック・チャンネル（DTCH）、マルチメディア・コントロール・ロジック・チャンネル（MCCH）、及びマルチメディア・サービス・ロジック・チャンネル（MTCH）等のロジック・チャンネルのデータは全て高速物理下りリンク共用チャンネル上にマッピングされて送信できる。従って、強化型接続モード公共状態でのユーザは高速物理下りリンク共用チャンネル上でデータを正確に受信することを保証するために、ユーザデバイスとベース・ステーションが予め定義される一つのH-RNTI識別(ID)を取得する必要がある。
【０００５】
従って、強化型接続モード公共状態でのベース・ステーションに高速下りリンク共用チャンネル使用時の高速下りリンク共用チャンネルの無線ネットワーク一時識別番号を取得させるように、高速下りリンク共用チャンネルの無線ネットワーク一時標記番号の取得方法及び装置が必要になる。
【発明の概要】
【発明が解決しようとする課題】
【０００６】
上記の問題を解決するために、本発明は、ベース・ステーションが正確なH-RNTIを高速下りリンク共用チャンネルに使用される共用コントロール・チャンネルのマスクとして使用し、UEがその受信しようとする高速下りリンク共用チャンネルに使用される共用コントロール・チャンネルを正しくリスニングして、高速物理下りリンク共用チャンネルのデータを受信し、ユーザへのサービス品質を保証できる高速下りリンク共用チャンネルの無線ネットワーク一時識別番号の取得方法及び装置を提供できる。
【課題を解決するための手段】
【０００７】
本発明の一形態において、強化型接続モード共通状態でのベース・ステーションに高速下りリンク共用チャンネル使用時の高速下りリンク共用チャンネルの無線ネットワーク一時識別番号を取得させる高速下りリンク共用チャンネルの無線ネットワーク一時識別番号の取得方法であって、無線ネットワーク・コントローラがシグナリングにより強化型接続モード共通状態でのユーザデバイスの使用可能な高速下りリンク共用チャンネルの無線ネットワーク一時識別番号をベース・ステーションに通知するステップＳ２０２と、ベース・ステーションは、シグナリングから高速下りリンク共用チャンネルの無線ネットワーク一時識別番号を取得するステップＳ２０４と、ベース・ステーションは、強化型接続モード公共状態でのデータを送信する必要がある場合、高速下りリンク共用チャンネルの無線ネットワーク一時識別番号を高速下りリンク共用チャンネルに使用される共用コントロール・チャンネルのマスクとしてベース・バンド処理を行い、ユーザデバイスが高速下りリンク共用チャンネルに使用される共用コントロール・チャンネルをリスニングする際の識別(ID)とし、また、高速物理下りリンク共用チャンネルのデータを受信するステップＳ２０６とを含む高速下りリンク共用チャンネルの無線ネットワーク一時識別番号の取得方法を提供できる。
【０００８】
本発明によれば、シグナリングは共通伝送チャンネルセットアップ要求メッセージあるいは共通伝送チャンネル再配置要求のメッセージである。
【０００９】
本発明によれば、さらに、ベース・ステーションがシグナリングから高速下りリンク共用チャンネルの無線ネットワーク一時識別番号を取得した後に、無線ネットワーク・コントローラに共通伝送チャンネルセットアップの応答あるいは共通伝送チャンネル再配置の応答メッセージを返信するステップを含む。
【００１０】
また、本発明によれば、高速下りリンク共用チャンネルの無線ネットワーク一時識別番号は、ロジック・チャンネル、伝送チャンネル、高速共用チャンネルのマルチメディア・アクセス・コントロール・ストリーム、優先度キュー、あるいはマルチメディアラジオ放送・マルチキャスト・サービスの何れかと関連している。
【００１１】
本発明の他の形態において、強化型接続モード公共状態でのベース・ステーションに高速共用チャンネル使用時の高速下りリンク共用チャンネルの無線ネットワーク一時識別番号を取得させる高速下りリンク共用チャンネルの無線ネットワーク一時識別番号の取得装置であって、シグナリングにより強化型接続モード共通状態でのユーザデバイスの使用可能な高速下りリンク共用チャンネルの無線ネットワーク一時識別番号をベース・ステーションに通知する通知ユニットと、シグナリングから高速下りリンク共用チャンネルの無線ネットワーク一時識別番号を取得する取得ユニットと、ベース・ステーションが強化型接続モード共通状態でのデータを送信する必要がある時、高速下りリンク共用チャンネルの無線ネットワーク一時識別番号を高速下りリンクチャンネルに使用される共用コントロール・チャンネルのマスクとしてベース・バンド処理を行い、ユーザデバイスが高速下りリンク共用チャンネルに使用される共用コントロール・チャンネルをリスニングすることの識別(ID)とし、また、高速物理下りリンク共用チャンネルのデータを受信する処理ユニットとを含む。
【００１２】
本発明の他の形態により、シグナリングは共通伝送チャンネルセットアップ要求メッセージあるいは共通伝送チャンネル再配置要求メッセージである。
【００１３】
また、本発明の他の形態により、装置は、さらに、ベース・ステーションがシグナリングから高速下りリンク共用チャンネルの無線ネットワーク一時識別番号を取得した後に、無線ネットワーク・コントローラに共通伝送チャンネルセットアップの応答メッセージあるいは共通伝送チャンネル再配置の応答メッセージを返信する応答ユニットを含む。
【００１４】
また、本発明の他の形態により、高速下りリンク共用チャンネルの無線ネットワーク一時識別番号は、ロジック・チャンネル、伝送チャンネル、高速共用チャンネルのマルチメディア・アクセス・コントロール・ストリーム、優先度キュー、あるいはマルチメディア放送・マルチキャスト・サービスの何れかと関連している。
【００１５】
従って、本発明によれば、ベース・ステーションが正確なH-RNTIを高速下りリンク共用チャンネルに使用される共用コントロール・チャンネルのマスクとして使用し、UEがその受信しようとする高速下りリンク共用チャンネルに使用される共用コントロール・チャンネルを正しくリスニングして、高速物理下りリンク共用チャンネルのデータを受信し、ユーザへのサービス品質を保証できる。
【００１６】
本発明のその他の特徴と長所は、明細書の中で述べられ、また、その一部は明細書の中で明らかなこととなり、あるいは本発明を実施することによって理解できる。本発明の目的とその他の長所は「明細書」、「特許請求の範囲」、及び「図面」の中で特別に説明された構成により実現及び取得できる。
【図面の簡単な説明】
【００１７】
【図１】図１は、本発明による高速下りリンク共用チャンネルの無線ネットワーク一時識別番号の取得方法を示すフローチャートである。
【図２】図２は、本発明の実施の形態による強化型接続モード共通状態でのベース・ステーションが高速共用チャンネル使用時の高速下りリンク共用チャンネルの無線ネットワーク一時識別番号を取得する方法を示すフローチャートである。
【図３】図３は、本発明による高速下りリンク共用チャンネルの無線ネットワーク一時識別番号の取得装置を示すブロック図である。
【発明を実施するための形態】
【００１８】
以下、図面を参照しながら、本発明の好適な実施の形態について説明する。なお以下に説明する本実施形態は本発明への説明及び解釈に用いられるだけで、本発明の内容を不当に限定するものではない。また、図面は、本発明をさらに理解するのに用いられ、且つ、明細書の一部を構成し、本発明の実施の形態とともに本発明の解釈に使用され、本発明を不当に限定するものではない。
【００１９】
以下、図１を参照して、本発明の基本思想を簡単に説明する。図１は本発明による高速下りリンク共用チャンネルの無線ネットワーク一時識別番号の取得方法を示すフローチャートである。図１に示すように、高速下りリンク共用チャンネルの無線ネットワーク一時識別番号の取得方法は、無線ネットワーク・コントローラがシグナリングにより強化型接続モード共通状態でのユーザデバイスの使用可能な高速下りリンク共用チャンネルの無線ネットワーク一時識別番号をベース・ステーションに通知するステップＳ１０２と、ベース・ステーションは、シグナリングから高速下りリンク共用チャンネルの無線ネットワーク一時識別番号を取得するステップＳ１０４と、ベース・ステーションは、強化型接続モード公共状態でのデータを送信する必要がある場合、高速下りリンク共用チャンネルの無線ネットワーク一時識別番号を高速下りリンク共用チャンネルに使用される共用コントロール・チャンネルのマスクとしてベース・バンド処理を行い、ユーザデバイスが高速下りリンク共用チャンネルに使用される共用コントロール・チャンネルをリスニングする際の識別(ID)とし、また、高速物理下りリンク共用チャンネルのデータを受信するステップＳ１０６とを含む。
【００２０】
ここで、シグナリングは共通伝送チャンネル・セットアップ請求メッセージあるいは共通伝送チャンネル再配置請求メッセージである。また、本発明は、さらに、ベース・ステーションがシグナリングにより高速下りリンク共用チャンネルの無線ネットワーク一時識別番号を取得した後、無線ネットワーク・コントローラに共通伝送チャンネル・セットアップの応答メッセージあるいは共通伝送チャンネル再配置の応答メッセージを返信するステップを含む。
【００２１】
注意すべきなのは、高速下りリンク共用チャンネルの無線ネットワーク一時識別番号は、ロジック・チャンネル、伝送チャンネル、高速共用チャンネルのマルチメディア・アクセス・コントロール・ストリーム、優先度キュー、あるいはマルチメディア放送・マルチキャスト・サービスの何れかと関連している。
【００２２】
以下、上記の方法を具体的な無線ネットワーク・コントローラ２０２及びべース・ステーション２０４の中で実現し、図２を参照して、強化型接続モード共通状態でのベース・ステーション２０４が高速共用チャンネル使用時の高速下りリンク共用チャンネルの無線ネットワーク一時識別番号を取得する方法を詳しく説明する。図２は本発明の実施の形態による強化型接続モード共通状態でのベース・ステーション２０４が高速共用チャンネル使用時の高速下りリンク共用チャンネルの無線ネットワーク一時識別番号を取得する方法を示すフローチャートである。
【００２３】
図２に示すように、この方法は、無線ネットワーク・コントローラ２０２が共通伝送チャンネルセットアップメッセージにより強化型接続モード共通状態でのユーザデバイスの使用可能なH-RNTIをベース・ステーション２０４に通知するステップＳ２０２と、ベース・ステーション２０４がシグナリングから強化型接続モード共通状態でのユーザデバイスの使用可能なH-RNTIを取得するステップＳ２０４と、ベース・ステーション２０４が無線ネットワーク・コントローラ２０２に共通伝送チャンネルセットアップの応答メッセージを返信するステップＳ２０６と、ベース・ステーション２０４が強化型接続モード共通状態でのユーザデバイスのデータを送信する必要がある時、H-RNTIを高速下りリンク共用チャンネルに使用される共用コントロール・チャンネルのマスクとしてベース・バンド処理を行い、ユーザデバイスが高速下りリンク共用チャンネルに使用される共用コントロール・チャンネルをリスニングすることの識別(ID)とするステップＳ２０８を含む。
【００２４】
図３は、本発明による高速下りリンク共用チャンネルの無線ネットワーク一時識別番号の取得装置３００を示すブロック図である。図３に示すように、高速下りリンク共用チャンネルの無線ネットワーク一時識別番号の取得装置３００は、強化型接続モード共通状態でのベース・ステーションに高速共用チャンネル使用時の高速下りリンク共用チャンネルの無線ネットワーク一時識別番号を取得させる。装置３００は、シグナリングにより強化型接続モード共通状態でのユーザデバイスの使用可能な高速下りリンク共用チャンネルの無線ネットワーク一時識別番号をベース・ステーションに通知する通知ユニット３０２と、シグナリングから高速下りリンク共用チャンネルの無線ネットワーク一時識別番号を取得する取得ユニット３０４と、ベース・ステーションが強化型接続モード共通状態でのデータを送信する時、高速下りリンク共用チャンネルの無線ネットワーク一時識別番号を高速下りリンクチャンネルに使用される共用コントロール・チャンネルのマスクとしてベース・バンド処理を行い、ユーザデバイスが高速下りリンク共用チャンネルに使用される共用コントロール・チャンネルをリスニングすることの識別(ID)とし、また、高速物理下りリンク共用チャンネルのデータを受信する処理ユニット３０６とを含む。
【００２５】
ここで、シグナリングは共通伝送チャンネルセットアップ要求メッセージあるいは共通伝送チャンネル再配置要求メッセージである。また、装置３００は、さらに、ベース・ステーションがシグナリングから高速下りリンク共用チャンネルの無線ネットワーク一時識別番号を取得した後、無線ネットワーク・コントローラに共通伝送チャンネルセットアップの応答メッセージあるいは共通伝送チャンネル再配置の応答メッセージを返信する応答ユニット３０８を含む。
【００２６】
高速下りリンク共用チャンネルの無線ネットワーク一時識別番号は、ロジック・チャンネル、伝送チャンネル、高速共用チャンネルのマルチメディア・アクセス・コントロール・ストリーム、優先度キュー、あるいはマルチメディアラジオ放送・マルチキャスト・サービスの何れかと関連している。
【００２７】
上記の内容はただ本発明の好適な実施形態だけであり、本発明を不当に限定するものではない。本技術分野の技術者にとって、本発明の主旨を逸脱しない範囲内で種々の変形実施が可能である。本発明の目的と原則の範囲内に入っている限り、行った如何なる修正、同等の取り替え、または改良などが、全て本発明の保護範囲に含まれるべきである。
【符号の説明】
【００２８】
２０２…無線ネットワーク・コントローラ  ２０４…ベース・ステーション  ３００…取得装置  ３０２…通知ユニット  ３０４…取得ユニット  ３０６…処理ユニット  ３０８…応答ユニット
【図１】
2010516126.tif 000003
【図２】
2010516126.tif 000004
【図３】
2010516126.tif 000005
【国際調査報告】
2010516126.tif 000006
2010516126.tif 000007
2010516126.tif 000008
2010516126.tif 000009